(57)【要約】【課題】トラクターを識別する情報とともに、トラクターの位置情報とシャーシータグ発信情報とトラクター稼動情報の発信時刻とを含むトラクター稼動情報を、シャーシー管理サーバへ送信するトラクター搭載システムを提供することを課題とする。【解決手段】位置情報取得部３５は、位置特定装置より、繰り返しトラクターの位置情報を取得し、タグ発信情報受信部３１は、トラクターにシャーシーを接続している状態でシャーシータグ発進情報を受信するタグリーダを用いて、繰り返しシャーシータグ発信情報を受信する。そして、トラクター稼動情報発信部３３は、取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信する。【選択図】図３
2006182567.tif 000002
【特許請求の範囲】
【請求項１】
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置と、情報処理装置とを備えたトラクター搭載システムであって、以下の要素を有することを特徴とするトラクター搭載システム
（１）位置特定装置より、繰り返しトラクターの位置情報を取得する位置情報取得部
（２）タグリーダを用いて、繰り返しシャーシータグ発信情報を受信するタグ発信情報受信部
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信するトラクター稼動情報発信部。
【請求項２】
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置とを備えたトラクター搭載システムに含まれる情報処理装置となるコンピュータに、以下の処理を実行させるためのプログラムを記録したコンピュータ読み取り可能な記録媒体
（１）位置特定装置より、繰り返しトラクターの位置情報を取得する処理
（２）タグリーダを用いて、繰り返しシャーシータグ発信情報を受信する処理
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信する処理。
【請求項３】
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置とを備えたトラクター搭載システムに含まれる情報処理装置となるコンピュータに、以下の手順を実行させるためのプログラム
（１）位置特定装置より、繰り返しトラクターの位置情報を取得する手順
（２）タグリーダを用いて、繰り返しシャーシータグ発信情報を受信する手順
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信する手順。
【発明の詳細な説明】
【技術分野】
【０００１】
本発明は、トラクターに牽引され、コンテナを積載するシャーシーを管理するシャーシー管理システムに係り、使用対象となるシャーシーの所在と状況の管理を自動化する技術に関する。
【背景技術】
【０００２】
トラクターにシャーシーを牽引させるトラックにおいては、適宜シャーシーを解放し（切り離し）、接続する（連結する）。従って、シャーシーが必要な場合に備えて、常に使用可能なシャーシーの所在を把握しておかなければならない。
【０００３】
しかし、現実的には運転手による報告ミスなどの理由により、完全にシャーシーの所在を管理できていない。
【０００４】
具体的には、無断で解放したシャーシーの所在が不明になったり、コンテナを積載したままのシャーシーを他のコンテナの運搬に使用しようとするなどの問題が生じている。
【特許文献１】特開２００１−２８７８３３号公報
【特許文献２】特開２００１−０２３０７３号公報
【発明の開示】
【発明が解決しようとする課題】
【０００５】
本発明は、上記した従来技術の欠点を除くためになされたものであって、その目的とするところは、シャーシーの管理に必要な報告をＩＣタグ技術と無線技術を用いて自動化し、更に、シャーシーの所在と状況の管理を自動化し、適宜使用可能なシャーシーの配置を出力することを可能とすることを課題とする。
【課題を解決するための手段】
【０００６】
本発明に係るトラクター搭載システムは、
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置と、情報処理装置とを備えたトラクター搭載システムであって、以下の要素を有することを特徴とする
（１）位置特定装置より、繰り返しトラクターの位置情報を取得する位置情報取得部
（２）タグリーダを用いて、繰り返しシャーシータグ発信情報を受信するタグ発信情報受信部
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信するトラクター稼動情報発信部。
【０００７】
本発明に係るプログラムを記録したコンピュータ読み取り可能な記録媒体は、
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置とを備えたトラクター搭載システムに含まれる情報処理装置となるコンピュータに、以下の処理を実行させることを特徴とする
（１）位置特定装置より、繰り返しトラクターの位置情報を取得する処理
（２）タグリーダを用いて、繰り返しシャーシータグ発信情報を受信する処理
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信する処理。
【０００８】
本発明に係るプログラムは、
シャーシータグ発信情報を発信するシャーシータグを取りつけたシャーシーを接続可能なトラクターに搭載され、トラクターにシャーシーを接続している状態でシャーシータグ発進情報を受信するタグリーダと、位置特定装置と、シャーシー管理サーバに送信可能な無線通信装置とを備えたトラクター搭載システムに含まれる情報処理装置となるコンピュータに、以下の手順を実行させることを特徴とする
（１）位置特定装置より、繰り返しトラクターの位置情報を取得する手順
（２）タグリーダを用いて、繰り返しシャーシータグ発信情報を受信する手順
（３）取得したトラクターの位置情報と、受信したシャーシータグ発信情報と、トラクター稼動情報の発信時刻とを含むトラクター稼動情報を、トラクターを識別する情報とともに、無線通信装置を用いて、繰り返しシャーシー管理サーバへ送信する手順。
【発明の効果】
【０００９】
本発明においては、トラクターを識別する情報とともに、トラクターの位置情報とシャーシータグ発信情報とトラクター稼動情報の発信時刻とを含むトラクター稼動情報を、トラクター搭載システムからシャーシー管理サーバへ送信し、いずれの最新トラクター稼動情報にも当該シャーシータグ発信情報が含まれない場合に、前記発信時刻が最も現在時刻に近いトラクター稼動情報を判定し、位置情報に従って、シャーシーの所在を表示した非接続シャーシー配置地図を出力するので、接続されていないシャーシーの所在の確認が完全に自動化される。
【００１０】
更に、判定したトラクター稼動情報にコンテナタグ発信情報が含まれる場合には、使用不能なシャーシーとして非接続シャーシー配置地図に所在を表示し、判定したトラクター稼動情報にコンテナタグ発信情報が含まれない場合には、使用可能なシャーシーとして非接続シャーシー配置地図に所在を表示するので、シャーシーの使用可否の状況も一目瞭然となる。
【００１１】
また、判定したトラクター稼動情報にコンテナタグ発信情報が含まれない場合にのみ、非接続シャーシー配置地図にシャーシーの所在を表示するので、使用可能なシャーシーのみを選別して出力できる。
【００１２】
このように、シャーシーの所在と状況を的確に把握することにより、シャーシー手配のミスが無くなる。
【発明を実施するための最良の形態】
【００１３】
実施の形態１．
以下本発明を図面に示す実施例に基づいて説明する。図１は、本発明に係るシャーシ管理システムのネットワーク環境を示す図である。
【００１４】
１は、シャーシー管理サーバ、２は、携帯電話網、３は、基地局、４は、トラック、５は、トラクター、６は、シャーシー、７は、コンテナである。トラクター５は、トラクター搭載システムを搭載しており、本発明に係るシャーシ管理システムは、そのトラクター搭載システムと、シャーシー管理サーバ１により構成されている。
【００１５】
トラクター搭載システムとシャーシー管理サーバ１は、少なくとも一部に無線媒体を含むネットワークにより接続可能なように構成されている。ネットワークの構成としては、携帯電話網と公衆網の組み合わせ（シャーシ管理サーバ１は、公衆網に接続）、あるいは、携帯電話網とインターネット網（シャーシ管理サーバ１は、インターネット網に接続）などが考えられる。
【００１６】
また、シャーシー６には、微弱電波発信型のタグ（ＩＣタグ）が取りつけられており、トラクター搭載システムに含まれるタグリーダにより、トラクター５にシャーシー６を接続している状態で、当該タグの発信情報を受信出来るように構成されている。このタグを、以下シャーシータグと呼ぶ。
【００１７】
更に、コンテナ７にも、同様に微弱電波発信型のタグ（ＩＣタグ）が取りつけられており、トラクター搭載システムに含まれるタグリーダにより、トラクター５に接続されたシャーシー６にコンテナ７が積載された状態で、当該タグの発信情報を受信出来るように構成されている。このタグを、以下コンテナタグと呼ぶ。
【００１８】
まず、トラクター搭載システムについて説明する。図２は、トラクター搭載システムの構成を示す図である。
【００１９】
２１は、携帯端末、２２は、タグリーダ、２３は、ＧＰＳ（Ｇｌｏｂａｌ  Ｐｏｓｉｔｉｏｎｉｎｇ  Ｓｙｓｔｅｍ）ユニット、２４は、携帯電話である。携帯端末２１には、タグリーダ２２と、ＧＰＳユニット２３と、携帯電話２４とが接続されている。
【００２０】
タグリーダ２２は、シャーシタグからシャーシータグ発信情報を受信し、更にコンテナタグからコンテナタグ発信情報を受信するように構成されている。シャーシタグとコンテナタグは、それぞれの発信情報を、所定のサイクル（例えば、５秒間隔）で発信している。
【００２１】
ＧＰＳユニット２３は、測地衛星の発信する電波を受信することにより、地球上の位置を特定する。これにより、携帯端末２１は緯度経度による位置情報をＧＰＳユニット２３から取得することが可能となる。但し、ＧＰＳユニット２３以外であっても、位置を特定することが出来る位置特定装置であれば足りる。
【００２２】
携帯電話２４は、前述のネットワークを介して、携帯端末２１からの情報をシャーシー管理サーバ１に送信するために用いられる。但し、移動体通信に対応できていれば、携帯電話２４以外の無線通信装置であっても構わない。
【００２３】
次に、携帯端末２１の動作について説明する。図３は、携帯端末の処理モジュールの構成を示す図である。
【００２４】
３１は、タグ発信情報受信部、３２は、タグ発信情報記憶部、３３は、トラクター稼動情報発信部、３４は、トラクターＩＤ記憶部、３５は、位置情報取得部である。タグ発信情報受信部３１と、トラクター稼動情報発信部３３は、非同期のプロセスとして、それぞれの処理を行うように構成されている。
【００２５】
タグ発信情報記憶部３２には、タグ発信情報受信部３１により受信したタグ発信情報が記憶される。図４から図６は、タグ発信情報記憶部の構成例を示す図である。図４は、シャーシーを接続していない状態のトラクターにおけるタグ発信情報記憶部の例である。図５は、シャーシーを接続しているが、コンテナを積載していない状態のトラクターにおけるタグ発信情報記憶部の例である。図６は、シャーシーを接続し、コンテナを積載してい
る状態のトラクターにおけるタグ発信情報記憶部の例である。図中、無効は、タグ発信情報を受信していないことを示している。この例で"ＳＴＡＧ"は、シャーシータグ発信情報に含まれるコードであり、"ＣＴＡＧ"は、コンテナタグ発信情報に含まれるコードである。後に続く数列は、識別コードを示している。このように、所定のルール等によって、シャーシータグ発信情報とコンテナタグ発信情報は、区別できるように構成されている。
【００２６】
タグ発信情報受信部３１による非同期プロセス処理について説明する。図７は、タグ発信情報受信処理フローを示す図である。
【００２７】
Ｓ７０１に示すように、タグ発信情報の受信を待ち（Ｓ７０１）、受信した場合には、タグ発信情報記憶部３２にすでに記憶されているか判定し（Ｓ７０２）、記憶されていない場合には、タグ発信情報記憶部３２に追加して記憶する（Ｓ７０３）。これにより、図４から図６のような状態が得られる。
【００２８】
一方のトラクター稼動情報発信部３３による非同期プロセス処理について説明する。トラクター稼動情報発信部３３は、所定の発信サイクル（この例では、１分間）でトラクター稼動情報を発信するように動作する。図８は、トラクター稼動情報発信処理フローを示す図である。
【００２９】
初期化として、タグ発信情報記憶部３２のタグ発信情報をクリアする（Ｓ８０１）。これにより、図４の状態となる。次に、日付、時刻を取得し（Ｓ８０２）、発信のタイミングかを判定する（Ｓ８０３）。つまり、前述の発信サイクルに従って、タイミングを判定する。発信のタイミングに至った場合には、トラクターＩＤ記憶部３４からトラクターＩＤを取得する（Ｓ８０４）。トラクターＩＤは、トラクターを識別する情報として用いられる。但し、この例に拠らず、携帯電話２４の電話番号など他の情報を用いて、トラクターを識別することも有効である。
【００３０】
続いて、ＧＰＳユニット２３とのインターフェースを制御する位置情報取得部３５より、位置情報を取得する（Ｓ８０５）。更に、タグ発信情報記憶部３２からタグ発信情報（シャーシタグ発信情報とコンテナタグ発信情報）を取得する（Ｓ８０６）。そして、トラクター稼動情報発信部３３から、トラクターＩＤとともに、トラクター稼動情報（日付、時刻（トラクター稼動情報の発信時刻）、位置情報、タグ発信情報を含む。）をシャーシー管理サーバ１宛てに送信する（Ｓ８０７）。
【００３１】
送信を完了すると、次の発信サイクルに移行するために、Ｓ８０１に戻る。
【００３２】
上述のように、トラクター搭載システムは、発信サイクル毎に、タグリーダで受信したシャーシタグ発信情報とコンテナタグ発信情報を、転送することができる。
【００３３】
次に、シャーシー管理サーバ１の動作について説明する。図９は、シャーシー管理サーバ１の処理モジュールの構成を示す図である。
【００３４】
９０１は、トラクター稼動情報受信部、９０２は、トラクター稼動情報記憶部、９０３は、非接続シャーシー状況情報抽出部、９０４は、シャーシー管理テーブル、９０５は、非接続シャーシー状況テーブル、９０６は、非接続シャーシー配置出力部、９０７は、地図データベースである。
【００３５】
シャーシー管理テーブル９０４は、シャーシーを識別する情報であるシャーシＩＤと、当該シャーシーに取りつけられたシャーシータグが発信するシャーシータグ発信情報を予め対応付けて記憶している。図１０は、シャーシー管理テーブルの構成例を示す図である
。
【００３６】
地図データベース９０７は、指定された表示条件（表示位置と縮尺等）に基づいて、地図情報を提供するように構成されている。
【００３７】
トラクター稼動情報受信部９０１は、前述のネットワークを介して、トラクターＩＤとトラクター稼動情報を受信し、トラクター稼動情報記憶部９０２に記憶させるように構成されている。トラクター稼動情報記憶部９０２は、トラクターＩＤ毎にトラクター稼動テーブルを備え、受信したトラクター稼動情報を日付と時刻の順に記憶するように構成されている。トラクター稼動情報受信部９０１は、受信したトラクター稼動情報に含まれるタグ発信情報を、前述の所定のルールに従って、シャーシータグ発信情報と、コンテナタグ発信情報に区別し、区別したタグ発信情報の種類に従って記憶する。
【００３８】
ここで、具体的な配送フローの例に従って生成されるトラクター稼動情報テーブルの例について説明する。図１１は、配送フローの第一例の概要を示す図である。図１２は、配送フローの第一例により生成されたトラクター稼動情報テーブルの構成例を示す図である。
【００３９】
図１１に示すように、トラクターＩＤ：Ｔ００１として識別されるトラクターは、単体の状態で、時刻Ｔ１１に配送センター（ＰＳ１の位置）を出発し、シャーシー置場（ＰＳ２の位置）へ向かう。
【００４０】
このときのトラクター稼動情報は、図１２のレコード１２５２により示され、レコード１２５３までの間、経過時刻とともに、トラクターの経路を示す位置情報が記録される。シャーシータグ発信情報とコンテナタグ発信情報ともに、有効な情報が受信されていないので、無効のステータスとなっている。
【００４１】
シャーシー置場に到着したトラクターは、時刻Ｔ１２にシャーシーＩＤ：Ｓ００１により識別されるシャーシーを接続し（連結し）、コンテナヤード（ＰＳ３の位置）へ向かう。
【００４２】
シャーシー接続の前後のトラクター稼動情報は、図１２のレコード１２５４と１２５５により示されている。シャーシーを接続すると、有効なシャーシータグ発信情報が受信され、記録される。但し、コンテナタグ発信情報は、無効のステータスのままである。対応付けられている位置情報は、ＰＳ２を示し、時刻は、Ｔ１２を示している。
【００４３】
コンテナヤードへの移動中は、経過時刻とともに、トラクターの経路を示す位置情報が記録される。
【００４４】
コンテナヤードに到着したトラクターは、時刻Ｔ１３に貨物を乗せたコンテナを積載し、配送先（ＰＳ４の位置）へ向かう。
【００４５】
コンテナ積載の前後のトラクター稼動情報は、図１２のレコード１２５８と１２５９により示されている。コンテナを積載すると、有効なコンテナタグ発信情報が受信され、記録される。対応付けられている位置情報は、ＰＳ３を示し、時刻は、Ｔ１３を示している。
【００４６】
配送先への移動中は、経過時刻とともに、トラクターの経路を示す位置情報が記録される。
【００４７】
配送先に到着したトラクターは、時刻Ｔ１４にコンテナを降ろし、シャーシー置場へ向かう。
【００４８】
コンテナを降ろす前後のトラクター稼動情報は、図１２のレコード１２６２と１２６３により示されている。コンテナを降ろすと、有効なコンテナタグ発信情報を受信できず、無効のステータスが記録される。対応付けられている位置情報は、ＰＳ４を示し、時刻は、Ｔ１４を示している。
【００４９】
シャーシー置場への移動中は、経過時刻とともに、トラクターの経路を示す位置情報が記録される。
【００５０】
シャーシー置場に到着したトラクターは、時刻Ｔ１５にシャーシーを解放し（切り離し）、配送センターへ向かう。
【００５１】
シャーシーを解放する前後のトラクター稼動情報は、図１２のレコード１２６６と１２６７により示されている。シャーシーを解放すると、有効なシャーシータグ発信情報を受信できず、無効のステータスが記録される。対応付けられている位置情報は、ＰＳ２を示し、時刻は、Ｔ１５を示している。
【００５２】
配送センターへの移動中は、経過時刻とともに、トラクターの経路を示す位置情報が記録される。
【００５３】
以上のように、この例では、コンテナを積載していないシャーシーが、ＰＳ２の位置のシャーシー置場に配置される。
【００５４】
続けて、別の例について説明する。図１３は、配送フローの第二例の概要を示す図である。図１４は、配送フローの第二例により生成されたトラクター稼動情報テーブルの構成例を示す図である。
【００５５】
図１３に示すように、トラクターＩＤ：Ｔ００２として識別されるトラクターは、単体の状態で、時刻Ｔ２１に配送センター（ＰＳ１の位置）を出発し、シャーシー置場（ＰＳ２'の位置）へ向かう。
【００５６】
このときのトラクター稼動情報は、図１４のレコード１４５２により示され、レコード１４５３までの間、経過時刻とともに、トラクターの経路を示す位置情報が記録される。シャーシータグ発信情報とコンテナタグ発信情報ともに、有効な情報が受信されていないので、無効のステータスとなっている。
【００５７】
シャーシー置場に到着したトラクターは、時刻Ｔ２２にシャーシーＩＤ：Ｓ００２により識別されるシャーシーを接続し（連結し）、コンテナの回収元（ＰＳ５の位置）へ向かう。
【００５８】
シャーシー接続の前後のトラクター稼動情報は、図１４のレコード１４５４と１４５５により示されている。シャーシーを接続すると、有効なシャーシータグ発信情報が受信され、記録される。但し、コンテナタグ発信情報は、無効のステータスのままである。対応付けられている位置情報は、ＰＳ２'を示し、時刻は、Ｔ２２を示している。
【００５９】
回収元への移動中は、経過時刻とともに、トラクターの経路を示す位置情報が記録される。
【００６０】
回収元に到着したトラクターは、時刻Ｔ２３に空のコンテナを積載し、コンテナヤードへ向かう。
【００６１】
コンテナ積載の前後のトラクター稼動情報は、図１４のレコード１４５８と１４５９により示されている。コンテナを積載すると、有効なコンテナタグ発信情報が受信され、記録される。対応付けられている位置情報は、ＰＳ５を示し、時刻は、Ｔ２３を示している。
【００６２】
コンテナヤードへの移動中は、経過時刻とともに、トラクターの経路を示す位置情報が記録される。
【００６３】
コンテナヤードに到着したトラクターは、コンテナの保管場所を確保出来ずに、時刻Ｔ２４に、そのままシャーシー置場へ向かう。
【００６４】
このときのトラクター稼動情報は、図１４のレコード１４６１〜１４６４により示されている。対応付けられている位置情報は、ＰＳ３を示し、時刻は、Ｔ２４を示している。
【００６５】
シャーシー置場への移動中は、経過時刻とともに、トラクターの経路を示す位置情報が記録される。
【００６６】
シャーシー置場に到着したトラクターは、時刻Ｔ２５にコンテナを積載したシャーシーを解放し（切り離し）、配送センターへ向かう。
【００６７】
シャーシーを解放する前後のトラクター稼動情報は、図１４のレコード１４６６と１４６７により示されている。シャーシーを解放すると、有効なシャーシータグ発信情報を受信できず、無効のステータスが記録される。同時に、有効なシャーシータグ発信情報を受信できず、無効のステータスが記録される。対応付けられている位置情報は、ＰＳ２'を
示し、時刻は、Ｔ２５を示している。
【００６８】
配送センターへの移動中は、経過時刻とともに、トラクターの経路を示す位置情報が記録される。
【００６９】
以上のように、この例では、コンテナを積載しているシャーシーが、ＰＳ２'の位置の
シャーシー置場に配置される。
【００７０】
次に、これらのトラック稼動情報に基づいて、非接続シャーシーの状況を示す非接続シャーシー状況情報を抽出する動作について説明する。図１５は、非接続シャーシー状況情報抽出処理フローを示す図である。尚、この動作は、非接続のシャーシーの問い合わせ（非接続シャーシー配置地図の出力要求）を指示されたときに前処理として起動してもよいし、前記指示と非同期に、常時繰り返し起動させてもよい。
【００７１】
図に示した処理フローの前処理として、非接続シャーシー状況テーブル９０５をクリアし、シャーシー管理テーブル９０４で管理するシャーシー毎に以下の処理を繰り返す（Ｓ１５０１）。つまり、図１０に例を示したシャーシー管理テーブル９０４のレコード毎に処理を繰り返す。当該レコードに含まれるシャーシーＩＤ１００１とシャーシー発信情報１００２を取得する（Ｓ１５０２）。
【００７２】
続いて、接続判定処理（Ｓ１５０３）を行う。この処理の詳細については後述する。
【００７３】
判定結果が非接続の場合には、更に、最終解放判定処理（Ｓ１５０４）を行う。これに
より、非接続シャーシーの状況を示す非接続シャーシー状況情報を非接続シャーシー状況テーブル９０５に記録する。この処理の詳細については後述する。一方、判定結果が接続中の場合には、次の処理に移行する。
【００７４】
すべてのシャーシーについて処理した時点で（Ｓ１５０５）、処理を終了する。
【００７５】
ここで、前述の接続判定処理について詳述する。図１６は、接続判定処理フローを示す図である。
【００７６】
トラクター稼動テーブル毎に、以下の処理を繰り返す（Ｓ１６０１）。最新のレコード（現状のトラクター稼動情報）を取得し（Ｓ１６０２）、当該シャーシータグ発信情報を含んでいるかを判定する（Ｓ１６０３）。最新のレコードに当該シャーシータグ発信情報を含んでいる場合は、接続中と判定する（Ｓ１６０４）。含んでいない場合には、すべてのトラクター稼動テーブルについて処理するまでＳ１６０２からの処理を繰り返す（Ｓ１６０５）。すべてのトラクター稼動テーブルについて処理した場合には、非接続と判定する（Ｓ１６０６）。当該シャーシーは、いずれのトラクターにも接続されていないと想定されるからである。
【００７７】
更に、前述の最終解放判定処理について詳述する。図１７は、最終解放判定処理フローを示す図である。
【００７８】
当日から順に遡って、各日付毎に以下の処理を繰り返す（Ｓ１７０１）。更に、トラクターに対応するトラクター稼動テーブル毎に、以下の処理を繰り返す（Ｓ１７０２）。当該トラクター稼動テーブル上で、当該シャーシーＩＤを検索する（Ｓ１７０３）。該当するレコードがある場合には（Ｓ１７０４）、最も遅い時刻のレコード（トラクター稼動情報の発信時刻が最も現在時刻に近いトラクター稼動情報）を特定する（Ｓ１７０５）。特定したレコードの情報を、非接続シャーシー状況情報の候補として一時的に記憶する（Ｓ１７０６）。該当するレコードが無い場合には、当該トラクター稼動テーブルについての処理を終える。
【００７９】
すべてのトラクター稼動テーブルについて処理した時点で（Ｓ１７０７）、一時記憶した非接続シャーシー状況情報の候補があるか判定する（Ｓ１７０８）。候補がない場合には、日付を遡って、Ｓ１７０２以下の処理を繰り返す。
【００８０】
候補が一つの場合には、上記候補を非接続シャーシー状況情報とする（Ｓ１７１０）。複数ある場合には（Ｓ１７０９）、最も遅い時刻を含む候補（トラクター稼動情報の発信時刻が最も現在時刻に近いトラクター稼動情報）を非接続シャーシー状況情報とする（Ｓ１７１１）。
【００８１】
最後に、シャーシーＩＤと対応つけて、非接続シャーシー状況情報を非接続シャーシー状況テーブル９０５に記憶する（Ｓ１７１２）。
【００８２】
上述の処理により、その時点において非接続のシャーシーの状況をまとめた非接続シャーシー状況テーブルが生成される。図１８は、非接続シャーシー状況テーブルの構成例を示す図である。各レコードは、非接続のシャーシーの状況を示している。
【００８３】
非接続シャーシー配置出力部９０６は、非接続のシャーシーの問い合わせ（非接続シャーシー配置地図の出力要求）の指示に応じて、非接続シャーシーの配置を地図に示して出力する。この例では、出力の形態としては、表示する場合について説明するが、印刷あるいは送信等、他の出力形態であっても有効である。図１９は、非接続シャーシー配置出力
処理フローを示す図である。
【００８４】
まず、地図表示の初期条件（表示位置、縮尺等）を取得する（Ｓ１９０１）。この条件は、デフォルトとして予め登録しておいてもよいし、問い合わせの指示の際に入力してもよい。
【００８５】
この条件に対応する地図情報を、地図データベース９０７から取得する（Ｓ１９０２）。そして、非接続シャーシー状況情報毎に以下の処理を繰り返す（Ｓ１９０３）。つまり、図１８に例を示した非接続シャーシー状況テーブル９０５の各レコード毎に以下の処理を繰り返す。
【００８６】
位置情報を取得し（Ｓ１９０４）、その位置が当該地図情報の範囲に含まれるか判定する（Ｓ１９０５）。範囲に含まれる場合には、そのレコードで示されているシャーシーが使用可能であるか否かの使用可否判定処理を行う（Ｓ１９０６）。この処理については、後述する。そして、使用可否判定結果に応じた表示アイコンを選択する（Ｓ１９０７）。つまり、使用可能な場合は、使用可能なシャーシーを示すアイコンを選択し、使用不可な場合は、使用不能なシャーシーを示すアイコンを選択する。位置情報に従って、地図情報上に選択した表示アイコンを配置する（Ｓ１９０８）。これらのアイコンにより、シャーシーの所在を非接続シャーシー配置地図上に表示することができる。アイコンによらず、文字や記号等の他の形態により、所在を表示してもよい。
【００８７】
すべての非接続シャーシー状況情報について処理した時点で（Ｓ１９０９）、アイコンを配置した地図情報を表示する（Ｓ１９１０）。
【００８８】
その後、指示入力待ちとなり（Ｓ１９１１）、表示切替指示が入力された場合には（Ｓ１９１２）、変更された表示条件（表示位置、縮尺等）を入力し（Ｓ１９１３）、その条件に従って、Ｓ１９０２の処理を行う。
【００８９】
終了指示が入力された場合には（Ｓ１９１４）、処理を終了する。
【００９０】
前述した使用可否判定処理について説明する。図２０は、使用可否判定処理フローを示す図である。
【００９１】
当該レコード（非接続シャーシー状況情報）に、コンテナタグ識別情報がある場合には（Ｓ２００１）、使用不可と判定する（Ｓ２００３）。コンテナタグ識別情報がない場合、つまり無効のステータスの場合には、使用可能と判定する（Ｓ２００２）。
【００９２】
このようにして、出力される非接続シャーシー配置地図を示す。図２１は、非接続シャーシー配置地図の例を示す図である。
【００９３】
この例では、対応するシャーシーＩＤも併せて表示している。Ｓ００１のシャーシーを示すアイコンは、使用可能なシャーシを示すアイコンである。Ｓ００２のシャーシーを示すアイコンは、使用不能なシャーシを示すアイコンである。尚、これらのアイコンは、シャーシーを示すアイコンと使用可否を示すアイコンを組み合わせて構成しても構わない。
【００９４】
実施の形態２．
本実施の形態では、使用可能なシャーシを示すアイコンのみを出力する形態について説明する。図２２は、実施の形態２における非接続シャーシー配置出力処理フローを示す図である。
【００９５】
Ｓ２２０６の判定において、使用不可と判定された場合には、アイコンを配置せずに、当該レコード（非接続シャーシー状況情報）についての処理を終える。
【００９６】
図２３は、実施の形態２における非接続シャーシー配置地図の例を示す図である。これにより、図に示すように使用可能なシャーシを示すアイコンのみが出力される。
【００９７】
実施の形態３．
実施の形態１では、図８のＳ８０１に示すように、トラクター稼動情報発信のサイクル内の前処理として、タグ発信情報をクリアすることにより、有効に受信したタグ発信情報のみを抽出するようにした。つまり、発信サイクルの間にタグリーダで受信したもののみを有効とした。
【００９８】
しかし、他の方法によって、有効なタグ発信情報を抽出するようにしてもよい。例えば、タグ発信情報を受信したタグ発信情報時刻を、タグ発信情報と併せて記憶し、このタグ発信情報時刻に基づいて無効なタグ発信情報を判定し、無効のステータスに書き換えてもよい。例えば、トラクター搭載システム側で、タグ発信情報時刻から所定時間以上経過した時点で、対応するタグ発信情報を無効と判定する方法が考えられる。また、タグ発信情報時刻をタグ発信情報とともに、シャーシー管理サーバ１に送信し、シャーシー管理サーバ１側でトラクター稼動情報発信の時刻（例えば、図１２の１２０２）と比較し、所定時間差以上の場合に、対応するタグ発信情報を無効と判定する方法が考えられる。
【００９９】
このように、タグリーダによる受信時刻から所定時間内にシャーシー管理サーバへトラクター稼動情報として送信されるタグ発信情報のみを有効することも効果的である。
【０１００】
実施の形態４．
実施の形態１では、シャーシー管理サーバ１で、受信したタグ発信情報をシャーシタグ発信情報とコンテナシャーシタグ発信情報に分類する例を示したが、トラクター搭載システム側で、タグ発信情報をシャーシタグ発信情報とコンテナシャーシタグ発信情報に分類し、シャーシタグ発信情報とコンテナシャーシタグ発信情報を区別してシャーシー管理サーバ１側へ送信することも有効である。
【０１０１】
尚、シャーシー管理サーバ１と携帯端末２１は、コンピュータであり、各要素はプログラムにより処理を実行することができる。また、プログラムを記憶媒体に記憶させ、記憶媒体からコンピュータに読み取られるようにすることができる。
【図面の簡単な説明】
【０１０２】
【図１】本発明に係るシャーシ管理システムのネットワーク環境を示す図である。
【図２】トラクター搭載システムの構成を示す図である。
【図３】携帯端末の処理モジュールの構成を示す図である。
【図４】タグ発信情報記憶部の構成例を示す図である。
【図５】タグ発信情報記憶部の構成例を示す図である。
【図６】タグ発信情報記憶部の構成例を示す図である。
【図７】タグ発信情報受信処理フローを示す図である。
【図８】トラクター稼動情報発信処理フローを示す図である。
【図９】シャーシー管理サーバ１の処理モジュールの構成を示す図である。
【図１０】シャーシー管理テーブルの構成例を示す図である。
【図１１】配送フローの第一例の概要を示す図である。
【図１２】配送フローの第一例により生成されたトラクター稼動情報テーブルの構成例を示す図である。
【図１３】配送フローの第二例の概要を示す図である。
【図１４】配送フローの第二例により生成されたトラクター稼動情報テーブルの構成例を示す図である。
【図１５】非接続シャーシー状況情報抽出処理フローを示す図である。
【図１６】接続判定処理フローを示す図である。
【図１７】最終解放判定処理フローを示す図である。
【図１８】非接続シャーシー状況テーブルの構成例を示す図である。
【図１９】非接続シャーシー配置出力処理フローを示す図である。
【図２０】使用可否判定処理フローを示す図である。
【図２１】非接続シャーシー配置地図の例を示す図である。
【図２２】実施の形態２における非接続シャーシー配置出力処理フローを示す図である。
【図２３】実施の形態２における非接続シャーシー配置地図の例を示す図である。
【符号の説明】
【０１０３】
１  シャーシー管理サーバ、２  携帯電話網、３  基地局、４  トラック、５
トラクター、６  シャーシー、７  コンテナ、２１  携帯端末、２２  タグリーダ、２３  ＧＰＳユニット、２４  携帯電話、３１  タグ発信情報受信部、３２  タグ発信情報記憶部、３３  トラクター稼動情報発信部、３４  トラクターＩＤ記憶部、３５  位置情報取得部、９０１  トラクター稼動情報受信部、９０２  トラクター稼動情報記憶部、９０３  非接続シャーシー状況情報抽出部、９０４  シャーシー管理テーブル、９０５  非接続シャーシー状況テーブル、９０６  非接続シャーシー配置出力部、９０７  地図データベース。
【図１】
2006182567.tif 000003
【図２】
2006182567.tif 000004
【図３】
2006182567.tif 000005
【図４】
2006182567.tif 000006
【図５】
2006182567.tif 000007
【図６】
2006182567.tif 000008
【図７】
2006182567.tif 000009
【図８】
2006182567.tif 000010
【図９】
2006182567.tif 000011
【図１０】
2006182567.tif 000012
【図１１】
2006182567.tif 000013
【図１２】
2006182567.tif 000014
【図１３】
2006182567.tif 000015
【図１４】
2006182567.tif 000016
【図１５】
2006182567.tif 000017
【図１６】
2006182567.tif 000018
【図１７】
2006182567.tif 000019
【図１８】
2006182567.tif 000020
【図１９】
2006182567.tif 000021
【図２０】
2006182567.tif 000022
【図２１】
2006182567.tif 000023
【図２２】
2006182567.tif 000024
【図２３】
2006182567.tif 000025